【事件の表示】
　特願２０１６−　９９１７８号「遊技台」拒絶査定不服審判事件〔平成２９年　２月　２日出願公開、特開２０１７−　２３７０２号〕について、次のとおり審決する。
【結　論】
　本件審判の請求は、成り立たない。
【理　由】
第１　手続の経緯
　本願は、平成２７年７月２４日に出願した特願２０１５−１４６７７５号の一部を平成２８年５月１８日に新たな特許出願（特願２０１６−９９１７８号）としたものであって、平成２９年３月２４日付けで拒絶の理由が通知され、平成２９年５月２６日に意見書及び手続補正書が提出されたところ、平成２９年６月８日付け（発送日：平成２９年６月１３日）で拒絶査定がなされ、それに対して、平成２９年９月５日に拒絶査定不服審判の請求がなされると同時に手続補正（以下「本件補正」という）がなされたものである。
  
第２　本件補正についての補正却下の決定
［補正却下の決定の結論］
　本件補正を却下する。
［理由］
１ 補正の内容
　本件補正は、特許請求の範囲を補正する内容を含んでおり、平成２９年５月２６日付けの手続補正と本件補正の、特許請求の範囲の請求項１の記載はそれぞれ以下の通りである（下線部は補正箇所を示す。また、Ａ〜Ｓは、分説するために当審にて付した。）。
（補正前：平成２９年５月２６日付け手続補正）
「【請求項１】
　複数の構造体と、
　複数の発光手段と、
　駆動可能な第一の駆動手段と、
　可動体と、
　表示手段と、
を備えた遊技台であって、
　前記可動体は、前記第一の駆動手段の駆動によって移動可能な手段であり、
　前記複数の発光手段のうちの１つ（以下、「第一の発光手段」という。）は、前記第一の駆動手段の駆動によって移動可能な手段であり、
　前記複数の発光手段のうちの１つ（以下、「第二の発光手段」という。）は、前記第一の駆動手段の駆動によって移動することがない手段であり、
　前記複数の構造体のうちの１つ（以下、「第一の構造体」という。）は、前記第一の発光手段からの光を通す構造体であり、
　前記第一の構造体は、前記第二の発光手段からの光を通す構造体であり、
　第一の状態において、前記第一の発光手段からの光と前記第二の発光手段からの光の両方を前記第一の構造体が通し、
　前記第一の発光手段は、前記可動体に設けられた発光手段であり、
　前記可動体は、第一の位置に位置することが可能な可動体であり、
　前記可動体は、前記第一の位置と前後方向に重ならない位置（以下、「第二の位置」という。）に位置することが可能な可動体であり、
　前記可動体が前記第一の位置に位置する場合に、前記第一の状態になる場合があり、
　前記可動体が前記第一の位置に位置する場合に、該可動体の装飾部の外形の全てを前方から目視で確認することが不可能であり、
　前記可動体が前記第二の位置に位置する場合に、該可動体が前記表示手段にオーバーラップして前記装飾部の外形の全てを前方から目視で確認することが可能である、
ことを特徴とする遊技台。」
（補正後：本件補正である平成２９年９月５日付け手続補正）
「【請求項１】
Ａ　複数の構造体と、
Ｂ　複数の発光手段と、
Ｃ　駆動可能な第一の駆動手段と、
Ｄ　可動体と、
Ｅ　表示手段と、
を備えた遊技台であって、
Ｆ　前記可動体は、前記第一の駆動手段の駆動によって移動可能な手段であり、
Ｇ　前記複数の発光手段のうちの１つ（以下、「第一の発光手段」という。）は、前記第一の駆動手段の駆動によって移動可能な手段であり、
Ｈ　前記複数の発光手段のうちの１つ（以下、「第二の発光手段」という。）は、前記第一の駆動手段の駆動によって移動することがない手段であり、
Ｉ　前記複数の構造体のうちの１つ（以下、「第一の構造体」という。）は、前記第一の発光手段からの光を通す構造体であり、
Ｊ　前記第一の構造体は、前記第二の発光手段からの光を通す構造体であり、
Ｋ　第一の状態において、前記第一の発光手段からの光と前記第二の発光手段からの光の両方を前記第一の構造体が通し、
Ｌ　前記第一の発光手段は、前記可動体に設けられた発光手段であり、
Ｍ　前記可動体は、第一の位置に位置することが可能な可動体であり、
Ｎ　前記可動体は、前記第一の位置と前後方向に重ならない位置（以下、「第二の位置」という。）に位置することが可能な可動体であり、
Ｏ　前記可動体が前記第一の位置に位置する場合に、前記第一の状態になる場合があり、
Ｐ　前記可動体が前記第一の位置に位置する場合に、
該可動体の一部が前記第一の構造体の一部にオーバーラップされ、
Ｑ　
前記可動体が前記第二の位置に位置する場合に、該可動体が前記第一の構造体と離間し、
Ｒ　
前記可動体が前記第二の位置に位置する場合に、該可動体が前記第一の構造体と前後方向に重ならず、
Ｓ　前記可動体が前記第二の位置に位置する場合に、該可動体が前記表示手段にオーバーラップして
該可動体の
ことを特徴とする遊技台。」
２　補正の適否
　本件補正の、「前記可動体が前記第一の位置に位置する場合に、該可動体の装飾部の外形の全てを前方から目視で確認することが不可能であり、」を「前記可動体が前記第一の位置に位置する場合に、該可動体の一部が前記第一の構造体の一部にオーバーラップされ、」とする補正は、例えば、「光を通す構造体」である「第一の構造体」が完全に透明なものであることにより、「前記可動体が前記第一の位置に位置する場合に、該可動体の一部が前記第一の構造体の一部にオーバーラップされ」ても「可動体の装飾部の外形の全てを前方から目視で確認することが」「可能」である場合を含むように拡張されることとなった。そして、この補正は、請求項の削除、特許請求の範囲の減縮、誤記の訂正及び明りようでない記載の釈明の、いずれを目的とするものでもない。
　したがって、この補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により却下されるべきものである。
３ 独立特許要件について
　しかしながら、事案に鑑み、本件補正後の請求項１に記載された発明（以下「本願補正発明」という。）が特許出願の際独立して特許を受けることができるものであるか（特許法第１７条の２第６項において準用する同法第１２６条第７項の規定に適合するか）についても、以下に検討する。
（１）本願補正発明 
　本願補正発明は、上記１の本件補正の内容において示したとおりのものである。
（２）引用文献に記載された事項
　原査定の拒絶の理由に引用された、本願の出願前に頒布された刊行物である特開２０１５−４７４６５号公報（以下、「引用文献１」という。）には、次の事項が記載されている（下線は当審で付した。）。
ア
「【０００７】
　すなわち本発明は、従来の技術に係る遊技機に内在する前記課題に鑑み、これを好適に解決するべく提案されたものであって、可動体の動作により興趣を向上し得る遊技機を提供することを目的とする。
・・・
【００２０】
（遊技盤Ｍについて）
　本実施例では、所定板厚の略矩形状に形成された木材板の表面に各種絵柄等が描かれた合成樹脂シート（図示せず）等を貼付けて装飾した板状部材２０と、該板状部材２０の裏側に着脱自在に取り付けられる設置部材２１とから遊技盤Ｍが構成されている。板状部材２０の表面には、図２〜図４,図６に示す如く、略円形状に湾曲形成された案内レール２２が配設され、該案内レール２２によってパチンコ球が流下可能な遊技領域２３が画成されている。なお、前記
図柄表示装置１８は、設置部材２１の裏側に取り付けられて、
枠状装飾部材３１に設けた開口部３１ａを介して板状部材２０の前側に臨む
・・・
【００３３】
（第１構成部材４２について）
　実施例の枠状装飾部材３１では、該枠状装飾部材３１における開口部３１ａの上部中央から左側で前記球導入部３６までの領域において、複数の構成部材４２,４３,４４,４５,４６,４７が前記枠状基部３２に対して着脱自在に配設されており、これら複数の構成部材４２,４３,４４,４５,４６,４７によって、当該領域において庇状部３３や台板部３４を形成すると共に、前記枠側遊技領域４１を画成するようになっている。
枠状基部３２には、
光透過性（透明）の取着盤部４８が設けられ、
構成部材４２,４３,４４,４５,４６,４７が着脱自在に配設されている。
【００３４】
（第２構成部材４３について）
　前記取着盤部４８に配設される第２構成部材４３は、該取着盤部４８に配設された第１構成部材４２の第１庇状部分４２ａにおける段部３３ｂから下端までの間の領域において該第１庇状部分４２ａの後縁に接続して外方に延出する第１遊技領域形成部分４３ａを備えている。この第２構成部材４３は、第１遊技領域形成部分４３ａが前記装着口２７（左上部開口部２７ｂ）の前側に位置して、該第１遊技領域形成部分４３ａの前側に枠側遊技領域４１が形成される。そして、第１遊技領域形成部分４３ａにおける取着盤部４８の外縁から外方に延出して板状部材２０における装着口２７の開口縁前面（左上部開口部２７ｂの開口縁前面）に当接する部分が、前記台板部３４を構成するようになっている。また、第１遊技領域形成部分４３ａの前面に、複数（実施例では２つ）の第１変更部（変更部）４３ｂが突設されており、該第１遊技領域形成部分４３ａの前面（枠側遊技領域４１）を流下するパチンコ球が該第１変更部４３ｂに接触することで、該パチンコ球の流下方向（移動方向）が変更されるよう構成される。実施例では、２つの第１変更部４３ｂ,４３ｂは、前記第１構成部材４２の第１庇状部分４２ａとの間、および両第１変更部４３ｂ,４３ｂの間の夫々に、パチンコ球の通過を許容する隙間をあけた状態で第１遊技領域形成部分４３ａに突設されている。
第２構成部材４３は、全体が光透過性に構成されて、後述するＬＥＤ５１ａ,１２２ａからの光によって明輝して光演出可能に構成されている。
【００３５】
（第３構成部材４４について）
　前記取着盤部４８に配設される第３構成部材４４は、該取着盤部４８に配設された第１構成部材４２における第１庇状部分４２ａの下端縁に接続して庇状部３３の一部を構成する第２庇状部分４４ａが形成されている。また第３構成部材４４は、第２庇状部分４４ａの後縁から外方に延出する第２遊技領域形成部分４４ｂが形成されており、該第２遊技領域形成部分４４ｂが前記第２構成部材４３の第１遊技領域形成部分４３ａの下端縁に接続されている。この第３構成部材４４は、第２遊技領域形成部分４４ｂが前記装着口２７（左上部開口部２７ｂ）の前側に位置して、該第２遊技領域形成部分４４ｂの前側に枠側遊技領域４１が形成される。そして、第２遊技領域形成部分４４ｂにおける取着盤部４８の外縁から外方に延出して板状部材２０における装着口２７の開口縁前面（左上部開口部２７ｂの開口縁前面）に当接する部分が、前記台板部３４を構成するようになっている。第３構成部材４４には、第２庇状部分４４ａの前縁から内方に延出する第２装飾部４４ｃが設けられている。なお、
第３構成部材４４は、全体が非光透過性に構成されている。
・・・
【００４３】
（発光装置４９について）
　前記
取着盤部４８の裏側に、前記第２構成部材４３
を裏側から照明可能な発光装置４９が配設されている。この発光装置４９は、図７,図８に示す如く、
前面に光を照射するＬＥＤ５１ａ（発光手段）が複数実装された発光基板５１とを備え
ている。
第２構成部材４３の裏側に、乱反射処理が施された第１光拡散部材５２が配設されると共に、該第１光拡散部材５２と第２構成部材４３との間に第１光拡散シート５３が前後に重なった状態で配設されている。そして、前記発光基板５１に実装されて第２構成部材４３の後側に位置する複数のＬＥＤ５１ａの光が、第１光拡散部材５２に向けて照射されるよう構成してある。
イ
「【００５０】
（可動演出装置６６について）
　前記設置部材２１の背面板６４における開口部２１ａの上側に臨む上面部６４ａに、所定の演出動作を行う複数の可動体６７,６８,６９,７０を備えた可動演出装置６６が配設されている。実施例の可動演出装置６６は、後述する索条体９６によって上下方向に
高低差がある上方の第１位置と下方の第２位置との間を上下に往復移動する主可動体６７と、該主可動体６７に対して従動的に移動する複数（実施例では２つ）の従動可動体６８,６９と
を備え
主可動体６７を動作させる第１駆動モータ８８が配設
されている。
【００５１】
（可動体６７,６８,６９,７０の全体構成について）
　前記主可動体６７および２つの従動可動体６８,６９は、
主可動体６７が第１位置に位置する状態
と、主可動体６７が第２位置に位置する状態
とに変化し得るよう構成される。
主可動体６７が第２位置に位置する
状態で、複数の可動体６７,６８,６９,７０が上下方向に略連なって全ての可動体６７,６８,６９,７０が開口部３１ａに臨んで、可動体群の略全体が前側から視認可能な状態となる
【００５２】
　また、前記
主可動体６７が第１位置に位置する可動体群の待機形態で最前部に位置する第１従動可動体６８は、
第１構成部材４２、第２構成部材４３および第３構成部材４４の後側に重なるように位置するよう構成される。
（図２参照）。
主可動体６７が第２位置に位置する作動姿勢では、
第１従動可動体６８は、一部が前記第１構成部材４２の第１装飾部４２ｃおよび第３構成部材４４の第２装飾部４２ｃの後側に重なって、後述ＬＥＤ１２２ａの光によって各装飾部４２ｃ,
を裏側から照明し得るよう構成されている（図３参照）。
ウ
「【００６２】
(主可動体６７について)
　前記
主可動体(可動体)６７は
意匠部７３が設けられている
・・・
【００９１】
　前記
第１従動可動体６８の第１意匠本体１１７における裏側には、前面に複数のＬＥＤ（発光手段,可動体側発光手段）１２２ａを実装した第１従動用発光基板１２２が配設されており、
主可動体６７が第１位置に位置する待機形態において、可動体群の最前部に位置する第１従動可動体６８の第１意匠本体１１７における光透過部１１７ａの一部は、
第２構成部材４３および第３構成部材４４の後側に重なるように位置しており（図２参照）、該光透過部１１７ａをＬＥＤ１２２ａの光によって明輝することで、
第２構成部材４３および第３構成部材４４を裏側から間接的に照明し得るよう構成されている。
【００９２】
(第２従動可動体６９について)
　前記可動体支持部材１１６に、前記第２従動可動体(別の可動体)６９が回転自在に枢支されている。この
第２従動可動体６９は
第２意匠本体１２３
を備え
エ
「【０１１９】
　前記パチンコ機１０では、前記
図柄表示装置１８で行われる
演出に応じて
ＬＥＤ５１ａや
ＬＥＤ１２２ａが発光されたり点滅され
オ　上記イには、「高低差がある上方の第１位置と下方の第２位置との間を上下に往復移動する主可動体６７と、該主可動体６７に対して従動的に移動する複数（実施例では２つ）の従動可動体６８,６９と、・・・を備え、・・・主可動体６７を動作させる第１駆動モータ８８が配設され」（【００５０】）と記載されている。ここで、従動可動体６８、６９は、主可動体６７に対して「従動的に移動」することから、第１駆動モータ８８の駆動によって移動するものである。よって、引用文献１には、「
主可動体６７と従動可動体６８、６９は、第１駆動モータ８８の駆動によって、移動可能
カ　上記ウには、「第１従動可動体６８の第１意匠本体１１７における裏側には、前面に複数のＬＥＤ（発光手段,可動体側発光手段）１２２ａを実装した第１従動用発光基板１２２が配設されて」（【００９１】）いることが記載されており、また、上記オから、「主可動体６７と従動可動体６８、６９は、第１駆動モータ８８の駆動によって、移動可能」であることから、引用文献１には、「
ＬＥＤ１２２ａは第１従動可動体６８に設けられたものであり
ＬＥＤ１２２ａは、第１駆動モータ８８の駆動によって、移動する主可動体６７と従動可動体６８、６９の移動に伴い移動可能であ
キ　上記アには、「枠状基部３２には、・・・光透過性（透明）の取着盤部４８が設けられ」（【００３３】）ていることが記載され、また、「取着盤部４８の裏側に、前記第２構成部材４３・・・を裏側から照明可能な発光装置４９が配設されている。この発光装置４９は、図７,図８に示す如く、・・・前面に光を照射するＬＥＤ５１ａ（発光手段）が複数実装された発光基板５１とを備え・・・ている」（【００４３】）と記載されていることから、引用文献１には、「
ＬＥＤ５１ａが、枠状基部３２に設けられた光透過性（透明）の取着盤部４８の裏側に取り付けられている
ク　上記オに加え、「主可動体６７が第１位置に位置する状態・・・と、主可動体６７が第２位置に位置する状態・・・とに変化し得るよう構成される。」（【００５１】）と記載されている。よって、引用文献１には、「
主可動体６７は第１位置に位置することがあり
主可動体６７は第１位置とは異なる第２位置に位置することがあ
ケ　上記アには、「第３構成部材４４は、全体が非光透過性に構成されている。」（【００３５】）と記載されている。上記イには、「主可動体６７が第１位置に位置する可動体群の待機形態で最前部に位置する第１従動可動体６８は、・・・第１構成部材４２、第２構成部材４３および第３構成部材４４の後側に重なるように位置するよう構成される。・・・（図２参照）。・・・主可動体６７が第２位置に位置する作動姿勢では、・・・第１従動可動体６８は、一部が前記第１構成部材４２の第１装飾部４２ｃおよび第３構成部材４４の第２装飾部４２ｃの後側に重なって、後述ＬＥＤ１２２ａの光によって各装飾部４２ｃ,４４ｃを裏側から照明し得るよう構成されている（図３参照）。」（【００５２】）と記載され、主可動体６７が第１位置に位置する場合に、従動可動体６８が第２構成部材４３及び第３構成部材４４と重なると記載されており、主可動体６７が第２位置に位置する場合に、主可動体６７、従動可動体６８、６９が第２構成部材４３と重なるとの記載がない。そして、【図２】では、従動可動体６８の一部が第２構成部材４３の一部および第３構成部材４４の一部と重なっており、【図３】では、主可動体６７、従動可動体６８、６９が第２構成部材４３と前後方向で重なっておらず、離間していることが見て取れる。さらに上記ウには、「主可動体６７が第１位置に位置する待機形態において、可動体群の最前部に位置する第１従動可動体６８の第１意匠本体１１７における光透過部１１７ａの一部は、・・・第２構成部材４３および第３構成部材４４の後側に重なるように位置しており（図２参照）、該光透過部１１７ａをＬＥＤ１２２ａの光によって明輝することで、・・・第２構成部材４３および第３構成部材４４を裏側から間接的に照明し得るよう構成されている。」（【００９１】）と記載されている。よって、引用文献１には、「
主可動体６７が第１位置に位置する場合に、従動可動体６８の第１意匠本体１１７の一部が第２構成部材４３の一部および非光透過性の第３構成部材４４の一部と重なり
主可動体６７が第１位置に位置する場合に、主可動体６７と従動可動体６８、６９が第２構成部材４３と前後方向で重ならず、離間して
コ　上記ウには、「第１従動可動体６８の第１意匠本体１１７における裏側には、前面に複数のＬＥＤ（発光手段,可動体側発光手段）１２２ａを実装した第１従動用発光基板１２２が配設されており、・・・主可動体６７が第１位置に位置する待機形態において、可動体群の最前部に位置する第１従動可動体６８の第１意匠本体１１７における光透過部１１７ａの一部は、・・・第２構成部材４３および第３構成部材４４の後側に重なるように位置しており（図２参照）、該光透過部１１７ａをＬＥＤ１２２ａの光によって明輝することで、・・・第２構成部材４３および第３構成部材４４を裏側から間接的に照明し得るよう構成されている。」（【００９１】）と記載さている。一方、上記アには、「第２構成部材４３の裏側に、乱反射処理が施された第１光拡散部材５２が配設されると共に、該第１光拡散部材５２と第２構成部材４３との間に第１光拡散シート５３が前後に重なった状態で配設されている。そして、前記発光基板５１に実装されて第２構成部材４３の後側に位置する複数のＬＥＤ５１ａの光が、第１光拡散部材５２に向けて照射されるよう構成してある。」（【００４３】）、「第２構成部材４３は、全体が光透過性に構成されて、後述するＬＥＤ５１ａ,１２２ａからの光によって明輝して光演出可能に構成されている。」（【００３４】）と記載されている。加えて、上記エには、「図柄表示装置１８で行われる・・・演出に応じて、・・・ＬＥＤ５１ａや・・・ＬＥＤ１２２ａが発光されたり点滅され」（【０１１９】）と記載されているから、引用文献１には、「
主可動体６７が第１位置に位置する状態で、従動可動体６８の一部が第２構成部材４３の一部に重なり、その際ＬＥＤ１２２ａは、第２構成部材４３を、裏側から照明し得るように構成されるとともに、第２構成部材４３の後側に位置する複数のＬＥＤ５１ａの光が、第２構成部材４３の裏側に配設された第１光拡散部材５２に向けて照射されるよう構成され、図柄表示装置１８で行われる演出に応じて、ＬＥＤ５１ａやＬＥＤ１２２ａが発光されたり点滅され、ＬＥＤ５１ａ,１２２ａからの光によって第２構成部材４３を明輝させて光演出可能とされ
サ　上記イには、「主可動体６７が第２位置に位置する・・・状態で、複数の可動体６７,６８,６９,７０が上下方向に略連なって全ての可動体６７,６８,６９,７０が開口部３１ａに臨んで、可動体群の略全体が前側から視認可能な状態となる」（【００５１】）と記載されている。また、上記ウの「主可動体(可動体)６７は、・・・意匠部７３が設けられている。」（【００６２】）、「第１従動可動体６８の第１意匠本体１１７」（【００９１】）、「第２従動可動体６９は、・・・第２意匠本体１２３・・・を備え」（【００９２】）との記載から、「意匠部７３」、「第１意匠本体１１７」、「第２意匠本体１２３」は、それぞれ「主可動体６７」、「従動可動体６８」、「従動可動体６９」が備える部材であると認められるが、【図９】から、「主可動体６７」が第２位置に位置する場合に、これらの意匠部、意匠本体が前側から視認可能な状態となっていることが見て取れる。さらに、上記アに、「図柄表示装置１８は、設置部材２１の裏側に取り付けられて、・・・枠状装飾部材３１に設けた開口部３１ａを介して板状部材２０の前側に臨む」（【００２０】）と記載されている。よって、引用文献１には、「
主可動体６７が第２位置に位置する場合に、主可動体６７と従動可動体６８、６９が、図柄表示装置１８を視認させるための開口部３１ａに臨み、可動体群の略全体が前側から視認可能な状態となり、主可動体６７の意匠部７３、従動可動体６８の第１意匠本体１１７、従動可動体６９の第２意匠本体１２３が前側から視認可能な状態となる
シ　【図９】、【図１５】から、「主可動体６７の意匠部７３」、「従動可動体６８の第１意匠本体１１７」、及び「従動可動体６９の第２意匠本体１２３」のそれぞれついて、ほとんど全てが視認可能となっていることが見て取れる。
　上記ア〜エの記載事項及び上記オ〜サの認定事項から、引用文献１には次の発明（以下「引用発明」という。）が記載されていると認められる（ａ〜ｓは、本件補正発明のＡ〜Ｓに対応させて付与した。）。
「ａ　複数の構成部材４２、４３、４４と、（【００３３】）
ｂ　ＬＥＤ５１ａ,１２２ａと、（【００３３】）
ｃ　第１駆動モータ８８と、（【００５０】）
ｄ　主可動体６７と、主可動体６７に対して従動的に移動する従動可動体６８、６９と、（【００５０】）
ｅ　図柄表示装置１８、（【００２０】）
を備えた遊技機であって、
ｆ　主可動体６７と従動可動体６８、６９は、第１駆動モータ８８の駆動によって、移動可能であり、（上記オ）
ｇ　ＬＥＤ１２２ａは、第１駆動モータ８８の駆動によって、移動する主可動体６７と従動可動体６８、６９の移動に伴い移動可能であり、（上記カ）
ｈ　ＬＥＤ５１ａが、枠状基部３２に設けられた光透過性（透明）の取着盤部４８の裏側に取り付けられており、（上記キ）
ｉ、ｊ　第２構成部材４３は、全体が光透過性に構成されて、ＬＥＤ５１ａ,ＬＥＤ１２２ａからの光によって明輝して光演出可能であり、（【００３４】）
ｋ、ｏ　主可動体６７が第１位置に位置する状態で、従動可動体６８の一部が第２構成部材４３の一部に重なり、その際ＬＥＤ１２２ａは、第２構成部材４３を、裏側から照明し得るように構成されるとともに、第２構成部材４３の後側に位置する複数のＬＥＤ５１ａの光が、第２構成部材４３の裏側に配設された第１光拡散部材５２に向けて照射されるよう構成され、図柄表示装置１８で行われる演出に応じて、ＬＥＤ５１ａやＬＥＤ１２２ａが発光されたり点滅され、ＬＥＤ５１ａ,１２２ａからの光によって第２構成部材４３を明輝させて光演出可能とされ、（上記コ）
ｌ　ＬＥＤ１２２ａは従動可動体６８に設けられたものであり、（上記カ）
ｍ　主可動体６７は第１位置に位置することがあり、（上記ク）
ｎ　主可動体６７は第１位置とは異なる第２位置に位置することがあり、（上記ク）
ｐ　主可動体６７が第１位置に位置する場合に、従動可動体６８の第１意匠本体１１７の一部が第２構成部材４３の一部および非光透過性の第３構成部材４４の一部と重なり、（上記ケ、【図２】）
ｑ、ｒ　主可動体６７が第２位置に位置する場合に、主可動体６７と従動可動体６８、６９が第２構成部材４３と前後方向で重ならず、離間しており、（上記ケ、【図３】）
ｓ　主可動体６７が第２位置に位置する場合に、主可動体６７と従動可動体６８、６９が、図柄表示装置１８を視認させるための開口部３１ａに臨み、可動体群の略全体が前側から視認可能な状態となり、主可動体６７の意匠部７３、従動可動体６８の第１意匠本体１１７、従動可動体６９の第２意匠本体１２３が前側から視認可能な状態となる、（上記サ、【図９】）
遊技機。」
（３）対比
　本願補正発明と引用発明とを対比する。なお、見出しは（ａ）〜（ｓ）とし、本願補正発明、引用発明の分説に対応させている。 
（ａ）〜（ｇ）　引用発明の構成ａ〜ｇの「複数の構成部材４２、４３、４４」、「ＬＥＤ５１ａ,１２２ａ」、「第１駆動モータ８８」、「主可動体６７と従動可動体６８、６９」、「図柄表示装置１８」、「ＬＥＤ１２２ａ」は、それぞれ、本願補正発明の構成Ａ〜Ｇの「複数の構造体」、「複数の発光手段」、「第一の駆動手段」、「可動体」、「表示手段」、「第一の発光手段」に相当する。そうすると、引用発明の構成ａ〜ｇは、本願補正発明の構成Ａ〜Ｇに相当する。
（ｈ）　引用発明の構成ｈにおいて、「枠状基部３２に設けられた光透過性（透明）の取着盤部４８」が移動しないものであることは明らかであるから、該「取着盤部４８の裏側に取り付けられ」た「ＬＥＤ５１ａ」が、本願補正発明の「第一の駆動手段」に相当する「第１駆動モータ８８」によって移動することがないことも明らかである。そうすると、引用発明の構成ｈの「ＬＥＤ５１ａ」は本願補正発明の構成Ｈの「第二の発光手段」に相当し、よって、引用発明の構成ｈは、本願補正発明の構成Ｈに相当する。
（ｉ）、（ｊ）　引用発明の構成ｉ、ｊの「第２構成部材４３」は、全体が光透過性であって、本願補正発明の「第一の発光手段」、「第二の発光手段」に相当する「ＬＥＤ１２２ａ」、「ＬＥＤ５１ａ」からの光によって明輝する、すなわち、両方の光を通すものであるから、本願補正発明の構成Ｉ、構成Ｊの「第一の構造体」に相当する。よって、引用発明の構成ｉ、ｊは、本願補正発明の構成Ｉ、構成Ｊに相当する。
（ｋ）　主可動体６７が第１位置に位置する状態では、従動可動体６８は第２構成部材４３の一部に重なっており、重なっている部分では第２構成部材４３はＬＥＤ１２２ａの光を透過し、重なっていない部分では第２構成部材４３は第１光拡散部材５２を介してＬＥＤ５１ａの光を透過することとなる。したがって、本願補正発明の構成Ｋの「第一の状態において、前記第一の発光手段からの光と前記第二の発光手段からの光の両方を前記第一の構造体が通」すことと、引用発明の構成ｋ、ｏの「主可動体６７が第１位置に位置する状態で、従動可動体６８の一部が第２構成部材４３の一部に重なり、その際ＬＥＤ１２２ａは、第２構成部材４３を、裏側から照明し得るように構成されるとともに、第２構成部材４３の後側に位置する複数のＬＥＤ５１ａの光が、第２構成部材４３の裏側に配設された第１光拡散部材５２に向けて照射される」こととは、「前記第一の発光手段からの光と前記第二の発光手段からの光の両方を前記第一の構造体が通すことが可能な状態があ」る点で共通する。
（ｌ）　引用発明の構成ｌにおいて、本願補正発明の「第一の発光手段」に相当する「ＬＥＤ１２２ａ」は、本願補正発明の「可動体」に相当する「主可動体６７と従動可動体６８、６９」の一部である「第１従動可動体６８」に設けられているから、引用発明の構成ｌは本願補正発明の構成Ｌに相当する。
（ｍ）（ｐ）　本願補正発明の「可動体」に相当する引用発明の「主可動体６７と従動可動体６８、６９」の一部である「従動可動体６８の第１意匠本体１１７」は、「主可動体６７が第１位置に位置する場合に」、本願補正発明の「第一の構造体」に相当する「第２構成部材４３」に一部重なる、即ちオーバーラップされることから、引用発明の構成ｍ、ｐにおける「主可動体６７が第１位置に位置する場合」の「主可動体６７と従動可動体６８、６９」の位置は、本願補正発明の構成Ｍ、Ｐの「第一の位置」に相当する。よって引用発明の構成ｍは、本願補正発明の構成Ｍに相当し、引用発明の構成ｐは、本願補正発明の構成Ｐに相当する。
（ｎ）　引用発明の構成ｎにおける「主可動体６７が第２位置に位置する場合」の「主可動体６７と従動可動体６８、６９」の位置は、本願補正発明の「第二の位置」に相当し、これらの位置は、「前記第一の位置とは異なる位置」である点で共通する。よって、引用発明の構成ｎは本願補正発明の構成Ｎと、「可動体は、前記第一の位置とは異なる第二の位置に位置することが可能な可動体である」点で共通する。
（ｏ）　引用発明の構成ｋ、ｏの、「主可動体６７が第１位置に位置する状態」は、本願補正発明の構成Ｋの「可動体が前記第一の位置に位置する場合」に相当する。そして、本願補正発明の「第一の状態」では、「前記第一の発光手段からの光と前記第二の発光手段からの光の両方を前記第一の構造体が通」すから、上記（ｋ）も踏まえると、本願補正発明の構成Ｏの「前記可動体が前記第一の位置に位置する場合に、前記第一の状態になる場合があ」ることと、引用発明の構成ｋ、ｏの「主可動体６７が第１位置に位置する状態で、従動可動体６８の一部が第２構成部材４３の一部に重なり、その際ＬＥＤ１２２ａは、第２構成部材４３を、裏側から照明し得るように構成されるとともに、第２構成部材４３の後側に位置する複数のＬＥＤ５１ａの光が、第２構成部材４３の裏側に配設された第１光拡散部材５２に向けて照射される」こととは、「前記可動体が前記第一の位置に位置する場合に、前記第一の発光手段からの光と前記第二の発光手段からの光の両方を前記第一の構造体が通すことが可能な状態になる場合があ」る点で共通する。
（ｑ）、（ｒ）　引用発明の「主可動体６７が第２位置に位置する場合」は、本願補正発明の「可動体が前記第二の位置に位置する場合」に相当する。そして、「主可動体６７が第２位置に位置する場合」に、本願補正発明の「可動体」に相当する「主可動体６７と従動可動体６８、６９」は、本願補正発明の「第一の構造体」に相当する「第２構成部材４３と前後方向に重ならず離間して」いるから、引用発明の構成ｑ、ｒの「主可動体６７が第２位置に位置する場合に、主可動体６７と従動可動体６８、６９が第２構成部材４３と前後方向で重ならず、離間して」いることは、本願補正発明の構成Ｑの「前記可動体が前記第二の位置に位置する場合に、該可動体が前記第一の構造体と離間」することに相当する。また、引用発明の構成ｑ、ｒの「主可動体６７が第２位置に位置する場合に、主可動体６７と従動可動体６８、６９が第２構成部材４３と前後方向で重ならず、離間して」いることは、本願補正発明の構成Ｒの「前記可動体が前記第二の位置に位置する場合に、該可動体が前記第一の構造体と前後方向に重なら」ないことに相当する。
（ｓ）　引用発明の「主可動体６７が第２位置に位置する場合」は、本願補正発明の「可動体が前記第二の位置に位置する場合」に相当する。そして、引用発明の「主可動体６７が第２位置に位置する場合」に、本願補正発明の「可動体」に相当する「主可動体６７と従動可動体６８、６９」は、「図柄表示装置１８を視認させるための開口部３１ａに臨み、可動体群の略全体が前側から視認可能な状態となる」が、その場合「開口部３１ａ」を通して視認させる「図柄表示装置１８」に、「主可動体６７と従動可動体６８、６９」がオーバラップされることは、明らかである。よって、本願補正発明の構成Ｓの「前記可動体が前記第二の位置に位置する場合に、該可動体が前記表示手段にオーバーラップして該可動体の装飾部の外形の全てを前方から目視で確認することが可能である」ことと、引用発明の構成ｓとは、「前記可動体が前記第二の位置に位置する場合に、該可動体が前記表示手段にオーバーラップして該可動体の装飾部の外形を前方から目視で確認することが可能である」点で共通する。
　そうすると、本願補正発明と引用発明とは、
「Ａ　複数の構造体と、
Ｂ　複数の発光手段と、
Ｃ　駆動可能な第一の駆動手段と、
Ｄ　可動体と、
Ｅ　表示手段と、
を備えた遊技台であって、
Ｆ　前記可動体は、前記第一の駆動手段の駆動によって移動可能な手段であり、
Ｇ　前記複数の発光手段のうちの１つ（以下、「第一の発光手段」という。）は、前記第一の駆動手段の駆動によって移動可能な手段であり、
Ｈ　前記複数の発光手段のうちの１つ（以下、「第二の発光手段」という。）は、前記第一の駆動手段の駆動によって移動することがない手段であり、
Ｉ　前記複数の構造体のうちの１つ（以下、「第一の構造体」という。）は、前記第一の発光手段からの光を通す構造体であり、
Ｊ　前記第一の構造体は、前記第二の発光手段からの光を通す構造体であり、
Ｋ’　前記第一の発光手段からの光と前記第二の発光手段からの光の両方を前記第一の構造体が通すことが可能な状態があり、
Ｌ　前記第一の発光手段は、前記可動体に設けられた発光手段であり、
Ｍ　前記可動体は、第一の位置に位置することが可能な可動体であり、
Ｎ’　前記可動体は、前記第一の位置とは異なる第二の位置に位置することが可能な可動体であり、
Ｏ’　前記可動体が前記第一の位置に位置する場合に、前記第一の発光手段からの光と前記第二の発光手段からの光の両方を前記第一の構造体が通すことが可能な状態になる場合があり、
Ｐ　前記可動体が前記第一の位置に位置する場合に、該可動体の一部が前記第一の構造体の一部にオーバーラップされ、
Ｑ’　前記可動体が前記第二の位置に位置する場合に、該可動体が前記第一の構造体と離間し、
Ｒ’　前記可動体が前記第二の位置に位置する場合に、該可動体が前記第一の構造体と前後方向に重ならず、
Ｓ’　前記可動体が前記第二の位置に位置する場合に、該可動体が前記表示手段にオーバーラップして、該可動体の装飾部の外形を前方から目視で確認することが可能である、
ことを特徴とする遊技台。」
の点で一致し、以下の点で相違する。
［相違点１］（構成Ｋ）
　本願補正発明では「第一の状態において、前記第一の発光手段からの光と前記第二の発光手段からの光の両方を前記第一の構造体が通」すのに対し、引用発明では、「主可動体６７が第１位置に位置する」ときに、本願補正発明の「第一の発光手段」に相当する「ＬＥＤ１２２ａ」と本願補正発明の「第二の発光手段」に相当する「ＬＥＤ５１ａ」からの光の両方を、本願補正発明の「第一の構造体」に相当する「第２構成部材４３」が透過することが可能であるものの、これらの光の両方を通しているか不明である点。
［相違点２］（構成Ｏ）
　本願補正発明では「可動体が前記第一の位置に位置する場合」に「第一の状態になる場合があ」るのに対し、引用発明では「主可動体６７が第１位置に位置する」ときに、本願補正発明の「第一の発光手段」に相当する「ＬＥＤ１２２ａ」からの光と、本願補正発明の「第二の発光手段」に相当する「ＬＥＤ５１ａ」からの光の両方を、本願補正発明の「第一の構造体」に相当する「第２構成部材４３」が透過することが可能であるものの、本願補正発明の「第一の状態」、すなわち、「第一の発光手段からの光」と「第二の発光手段からの光」の両方を前記第一の構造体が通す状態になるか、不明である点。
［相違点３］（構成Ｎ、Ｑ、Ｒ、Ｓ）
　本願補正発明の「第二の位置」は、「第一の位置」とは「前後方向に重ならない位置」であるのに対し、引用発明の「主可動体６７が第２位置に位置する場合」の「主可動体６７と従動可動体６８、６９」の位置は、「主可動体６７が第１位置に位置する場合」の「主可動体６７と従動可動体６８、６９」の位置と、一部重なる部分がある点。
［相違点４］（構成Ｓ）
　本願補正発明では「可動体が前記第二の位置に位置する場合に」、「該可動体の装飾部の外形の全てを前方から目視で確認することが可能」であるのに対し、引用発明では、「主可動体６７が第２位置に位置する場合に」、「可動体群の略全体が前側から視認可能な状態となり、主可動体６７の意匠部７３、従動可動体６８の第１意匠本体１１７、従動可動体６９の第２意匠本体１２３が前側から視認可能な状態となる」点。
（４）判断
　上記相違点について検討する。
相違点１、２について：
　上記相違点１および２は、ともに「第一の発光手段からの光」と「第二の発光手段からの光」と光を透過する「構造体」による演出に関するものである点で共通していることから、あわせて検討する。
　引用発明は「図柄表示装置１８で行われる演出に応じて、ＬＥＤ５１ａやＬＥＤ１２２ａが発光されたり点滅され、ＬＥＤ５１ａ,１２２ａからの光によって第２構成部材４３を明輝させて光演出可能」なものである。そして、複数の光源を発光させて光演出を行う際に、光を同時に発光させる程度のことは、演出上の効果を向上させるため、「演出に応じて」適宜設定しうる単なる設計事項にすぎない。よって、「演出に応じて」「ＬＥＤ５１ａ,１２２ａからの光によって第２構成部材４３を明輝させて光演出」を行う際、ＬＥＤ５１ａ,１２２ａからの両方の光によって第２構成部材４３を明輝させる状態とし、上記相違点１に係る本願補正発明の構成となすことは、当業者が容易に想到しうることと認められる。
　そして、引用発明では「主可動体６７が第１位置に位置する状態で」、「ＬＥＤ５１ａ,１２２ａからの光によって第２構成部材４３を明輝させて光演出可能」なのであるから、引用発明において「主可動体６７が第１位置に位置する状態で」、ＬＥＤ５１ａ,１２２ａからの両方の光によって第２構成部材４３が明輝する場合があるようにし、上記相違点２に係る本願補正発明の構成となすことも、当業者ならば容易に想到しうることと認められる。
　さらに、相違点１に関し、上記、複数の光源を発光させて光演出を行う際に、光を同時に発光させることは、単なる設計事項であることに加え、遊技機の分野において、発光態様のバリエーションとして、本願の遡及日前に周知（例えば特開２０１３−１６９４０６号には、「中央グループ１０６の各系統１０６ａ〜１０６ｃを同時に発光させることで中央レンズ２８２全体が発光する発光演出」（【０３２３】）を行うことが記載されている（特開２０１３−１３５７１４号も同様）。また、特開２０１５-１３１６９号には、「本発明は、バリエーションに富む発光パターンが実現可能である簡易な構成の発光装置を備えた遊技機を提供することにある。」（【０００５】）と記載され、「第一光源４１と第二光源４２の両方を発光させた場合」に「第一発光領域Ａ１は、第一光源４１の光と第一発光領域Ａ１に進入した第二光源４２の光が混合した光で照らされる」（【００３１】）ようにすることが記載されている（特開２０１４-２３０９２２号も同様）。）（以下、「周知技術１」という。）である。そして、このような発光演出が遊技の興趣を向上させるものであることは明らかである。
　したがって、引用発明と周知技術１とは、遊技の興趣を向上させるという、共通の課題を解決するものである。
　よって、引用発明に上記周知技術１を適用し、「ＬＥＤ５１ａ,１２２ａからの光によって第２構成部材４３を明輝させて光演出」を行う際に、ＬＥＤ５１ａ,１２２ａからの両方の光によって第２構成部材４３を明輝させる状態とし、上記相違点１に係る本願補正発明の構成となすことは、当業者が容易に想到しうることと認められる。
相違点３について：
　遊技機の分野において、可動体による演出を行う際に、本願補正発明の「第一の位置」に相当する「待機位置」と「前後方向に重ならない位置」との間で可動体を移動させることは、本願の遡及日前に周知（例えば特開２０１５−９７７７１号には、「図柄表示装置でのインパクトのある表示演出を行」（【０００６】）うために、可動体の装飾部といえる「第３可動体（可動体）３５」が「状装飾体２７における窓口２７ａの上縁部側（開口部縁部側）の待機位置（図２,図５）と、該待機位置より窓口中央側（開口部中央側）の作動位置（図６,図７,図８）との間を往復移動するよう構成」され（【００２９】）、「待機位置」と「作動位置」で前後方向に重なっていない（【図２】、【図６】）ようにすることが記載されている。また、特開２０１０−１１０４１５号には、可動体の装飾部といえる「可動演出体２４」が演出時に「退避位置Ｘから演出位置Ｙへと下降」し（【００６４】）、「退避位置Ｘ」と「演出位置Ｙ」で前後方向に重なっていない（【図１１】（Ａ）、（Ｂ））ことが記載されている。）（以下、「周知技術２」という。）である。
　そして、上記周知技術２と引用発明とは、可動体を用いた演出により遊技の興趣を向上させるという点で共通するものである。
　よって、引用発明の演出を行う可動体である「主可動体６７と従動可動体６８、６９」に上記周知技術２を適用し、「主可動体６７が第２位置に位置する場合」の「主可動体６７と従動可動体６８、６９」の位置を、「主可動体６７が第１位置に位置する場合」の「主可動体６７と従動可動体６８、６９」の位置とは「前後方向に重ならない位置」とし、上記相違点３に係る本願補正発明の構成となすことは、当業者が容易に想到しうることと認められる。
相違点４について：
　引用発明は、「主可動体６７が第２位置に位置する場合に」、「可動体群の略全体が前側から視認可能な状態となり、主可動体６７の意匠部７３、従動可動体６８の第１意匠本体１１７、従動可動体６９の第２意匠本体１２３が前側から視認可能な状態となる」ようにするものであるが、上記シで認定したように、これら意匠部のほとんど全てが視認可能となっていることが見て取れることを踏まえると、引用発明の構成ｓの「主可動体６７が第２位置に位置する場合に」、「可動体群の略全体が前側から視認可能な状態となり、主可動体６７の意匠部７３、従動可動体６８の第１意匠本体１１７、従動可動体６９の第２意匠本体１２３が前側から視認可能な状態となる」ことは、本願補正発明の構成Ｓの「可動体が前記第二の位置に位置する場合に」、「該可動体の装飾部の外形の全てを前方から目視で確認することが可能である」ことに相当し、上記相違点４は実質的な相違点ではない。
　ところで、遊技機の分野において、可動体による演出を行う際に、可動体を、「表示手段にオーバーラップ」して、「可動体の装飾部の外形の全てを前方から目視で確認することが可能」な位置に作動させることは、本願の遡及日前に周知（上記特開２０１５−９７７７１号には、上記事項に加え、「作動位置」で「第３可動体３５」が、「図柄表示装置１７の表示部１７ａの前側で集合」（オーバーラップ）「するよう構成され」（【００２７】、【図８】）、「作動位置」で「第３可動体３５」が「外形の全てを前方から目視で確認することが可能」な位置にある（【図８】）ことが記載され、また、上記特開２０１０−１１０４１５号には、上記事項に加え、「演出位置Ｙ」で「可動演出体２４」が「画像表示部２０」の前側で（オーバーラップし）、「可動演出体２４」が外形の全てを前方から目視で確認することが可能な位置にある（【図１１】（Ｂ）、（Ｃ）、（Ｄ））ことが記載されている。）（以下、「周知技術３」という。）である。
　そして、上記周知技術３における可動体と引用発明の可動体とは、その動作による演出により遊技の興趣を向上させるという点で共通する機能を有するものである。
　よって、仮に、上記相違点４が実質的な相違点になるとしても、引用発明の可動体による演出に当該周知技術３を適用することにより当該相違点４に係る本願補正発明の構成となすことは、当業者が容易に想到し得たことである。
（５）請求人の主張について
ア　請求人は、平成２９年９月５日付けの審判請求書の＜本願発明と引用発明の対比＞において、
　「当該ご認定に対し、本願の出願人は、旧請求項１の「前記可動体が前記第一の位置に位置する場合に、該可動体の装飾部の外形の全てを前方から目視で確認することが不可能であり」との記載を、「前記可動体が前記第一の位置に位置する場合に、該可動体の一部が前記第一の構造体の一部にオーバーラップされ」との記載に変更する補正を行いました。 
　また、本願の出願人は、引用文献１との相違点をより明確にするために、旧請求項１の内容に、引用文献１には記載や示唆の無い発明特定事項（Ｑ），（Ｒ）を追加する補正を行いました。これらの発明特定事項等によって特定される技術思想は、「可動体が第二の位置に位置する場合に、第一の構造体と離間し且つ該第一の構造体と前後方向に重ならない位置に移動する」といった技術思想であり、本願発明特有のものです。」 
と主張している。
　しかしながら、「オーバーラップ」とは、本願明細書の【０１２５】に、「・・・重なる（オーバーラップする）位置である」と記載されているように、「重なる」ことである。そして、引用発明は、上記第２の３（３）の（ｍ）（ｐ）に記載のように、「本願補正発明の「可動体」に相当する引用発明の「主可動体６７と従動可動体６８、６９」の一部である「従動可動体６８の第１意匠本体１１７」は、「主可動体６７が第１位置に位置する場合に」、本願補正発明の「第一の構造体」に相当する「第２構成部材４３」に一部重なる、即ちオーバーラップされる」ものである。
　また、上記第２の３（３）のｑ、ｒに記載のように、引用発明においては、「主可動体６７が第２位置に位置する場合に」、本願補正発明の「可動体」に相当する「主可動体６７と従動可動体６８、６９」は、本願補正発明の「第一の構造体」に相当する「第２構成部材４３」と離間し、前後方向で重なっていない。
　よって、請求人の主張を採用することはできない。
イ　請求人は、平成２９年９月５日付けの審判請求書の＜本願発明と引用発明の対比＞において、
　「引用文献１には、主可動体６７及び２つの従動可動体６８，６９については記載があると認められますが、「可動体が第二の位置に位置する場合に、可動体が第一の位置で確認できなかった可動体の装飾部の外形の全てを確認することができるように構成する」といった技術思想については記載や示唆がありませんので、引用文献１に記載の発明のみから当業者が本願発明に容易に想到することは困難です。」
とも主張する。
　しかしながら、上記第２の３（４）の「相違点４について」で検討したとおり、「可動体が第二の位置に位置する場合に、可動体が第一の位置で確認できなかった可動体の装飾部の外形の全てを確認することができるように構成する」点は、本願補正発明と引用発明における実質的な相違点ではなく、引用文献１に実質的に記載されているものと認められる。また、仮に、請求人が主張するように、その点が記載や示唆されていないとしても、上記「相違点４について」で検討したとおり、周知技術３に基づき当業者が容易に想到し得た程度のことである。
　よって、請求人の主張を採用することはできない。
（６）本願補正発明が奏する効果について
　上記相違点１ないし４によって本願補正発明が奏する効果は、当業者が引用発明及び周知技術１〜３から予測し得る程度のものであって、格別のものではない。
（７）まとめ
　以上のように、本願補正発明は、当業者が引用発明及び周知技術１〜３に基づいて容易に発明をすることができたものであるから、特許法第２９条第２項の規定により、特許出願の際独立して特許を受けることができない。
　したがって、本件補正は、特許法第１７条の２第６項において準用する同法第１２６条第７項の規定に違反するので、同法第１５９条第１項において読み替えて準用する同法第５３条第１項の規定により却下すべきものである。
４　補正却下の決定についてのむすび
　よって、本件補正は、同法第１７条の２第５項の規定に違反するものであるから、同法第１５９条第１項において読み替えて準用する同法第５３条第１項の規定により却下されるべきものであるか（上記第２の２参照。）、仮にそうでないとしても、特許法第１７条の２第６項において準用する同法第１２６条第７項の規定に違反するものであるから、同法第１５９条第１項において読み替えて準用する同法第５３条第１項の規定により却下すべきものである（上記第２の３参照）。
第３　本願発明について
１　本願発明
　本件補正は上記のとおり却下されたので、本願の請求項１に係る発明は、平成２９年５月２６日付け手続補正書により補正された、上記第２の１で補正前として示した特許請求の範囲の請求項１に記載された以下のとおりのものである（Ａ〜Ｏ、Ｐ’、Ｓ’は、分説するために当審にて付した。）。
「Ａ　複数の構造体と、
Ｂ　複数の発光手段と、
Ｃ　駆動可能な第一の駆動手段と、
Ｄ　可動体と、
Ｅ　表示手段と、
を備えた遊技台であって、
Ｆ　前記可動体は、前記第一の駆動手段の駆動によって移動可能な手段であり、
Ｇ　前記複数の発光手段のうちの１つ（以下、「第一の発光手段」という。）は、前記第一の駆動手段の駆動によって移動可能な手段であり、
Ｈ　前記複数の発光手段のうちの１つ（以下、「第二の発光手段」という。）は、前記第一の駆動手段の駆動によって移動することがない手段であり、
Ｉ　前記複数の構造体のうちの１つ（以下、「第一の構造体」という。）は、前記第一の発光手段からの光を通す構造体であり、
Ｊ　前記第一の構造体は、前記第二の発光手段からの光を通す構造体であり、
Ｋ　第一の状態において、前記第一の発光手段からの光と前記第二の発光手段からの光の両方を前記第一の構造体が通し、
Ｌ　前記第一の発光手段は、前記可動体に設けられた発光手段であり、
Ｍ　前記可動体は、第一の位置に位置することが可能な可動体であり、
Ｎ　前記可動体は、前記第一の位置と前後方向に重ならない位置（以下、「第二の位置」という。）に位置することが可能な可動体であり、
Ｏ　前記可動体が前記第一の位置に位置する場合に、前記第一の状態になる場合があり、
Ｐ’　前記可動体が前記第一の位置に位置する場合に、該可動体の装飾部の外形の全てを前方から目視で確認することが不可能であり、
Ｓ’’　前記可動体が前記第二の位置に位置する場合に、該可動体が前記表示手段にオーバーラップして前記装飾部の外形の全てを前方から目視で確認することが可能である、
ことを特徴とする遊技台。」
２　原査定の理由の概要
　拒絶査定の理由の概要は、この出願の請求項１〜１０に係る発明は、本願遡及日前に頒布された下記の引用文献１に記載された発明に基づいて、その出願前にその発明の属する技術の分野における通常の知識を有する者が容易に発明をすることができたものであるから、特許法２９条２項の規定により特許を受けることができない、というものである。
引用文献１：特開２０１５−４７４６５号公報
３　引用文献記載の事項
　引用文献の記載事項および引用文献記載の発明は、上記第２の３（２）に記載したとおりである。  
４　対比
　本願発明の構成Ａ〜Ｏは、本願補正発明の構成Ａ〜Ｏと同じであるから、引用発明の構成ａ〜ｏと本願発明の構成Ａ〜Ｏの対比については、上記第２の３（３）の（ａ）〜（ｏ）に記載したとおりである。
　本願発明の構成Ｓ’’と本願補正発明の構成Ｓを比較すると、本願発明は構成Ｐ’において「該可動体の装飾部」との記載があるため、構成Ｓ’’ではそれを受けて、可動体の装飾部を「前記装飾部」と記載されているものを本願補正発明では構成Ｓの前の構成Ｐでは、「該可動体の装飾部」との記載が無くなったため、構成Ｓで「該可動体の装飾部」と記載したもので有り、実質的に本願発明の構成Ｓ’’と本願補正発明の構成Ｓは、同じものである。よって、引用発明の構成ｓと本願発明の構成Ｓ’’との対比は、上記第２の３（３）の（ｓ）に記載したとおりである。
　引用発明の構成ｐの「従動可動体６８の第１意匠本体１１７」、構成ｓの「主可動体６７の意匠部７３」、及び「従動可動体６９の第２意匠本体１２３」を併せたものは、本願発明の構成Ｐの「可動体の装飾部」に相当する。そして、本願発明の構成Ｐ’の「可動体の装飾部の外形の全てを前方から目視で確認することが不可能」とは、可動体の装飾部が全て隠れるなどして、どの部分も確認することが不可能と解せる場合と、可動体の装飾部の一部が隠れるなどして、全てを確認することが不可能と解せる場合とがあるが、いずれにしても、少なくとも一部が確認不可能であるから、引用発明の構成ｐは、本願発明の構成Ｐと「可動体が前記第一の位置に位置する場合に、該可動体の装飾部の少なくとも一部を前方から目視で確認することが不可能」な点で共通する。
そうすると、本願発明と引用発明とは、
「Ａ　複数の構造体と、
Ｂ　複数の発光手段と、
Ｃ　駆動可能な第一の駆動手段と、
Ｄ　可動体と、
Ｅ　表示手段と、
を備えた遊技台であって、
Ｆ　前記可動体は、前記第一の駆動手段の駆動によって移動可能な手段であり、
Ｇ　前記複数の発光手段のうちの１つ（以下、「第一の発光手段」という。）は、前記第一の駆動手段の駆動によって移動可能な手段であり、
Ｈ　前記複数の発光手段のうちの１つ（以下、「第二の発光手段」という。）は、前記第一の駆動手段の駆動によって移動することがない手段であり、
Ｉ　前記複数の構造体のうちの１つ（以下、「第一の構造体」という。）は、前記第一の発光手段からの光を通す構造体であり、
Ｊ　前記第一の構造体は、前記第二の発光手段からの光を通す構造体であり、
Ｋ’　前記第一の発光手段からの光と前記第二の発光手段からの光の両方を前記第一の構造体が通すことが可能な状態があり、
Ｌ　前記第一の発光手段は、前記可動体に設けられた発光手段であり、
Ｍ　前記可動体は、第一の位置に位置することが可能な可動体であり、
Ｎ’　前記可動体は、前記第一の位置とは異なる位置とすることが可能な可動体であり、
Ｏ’　前記可動体が前記第一の位置に位置する場合に、前記第一の発光手段からの光と前記第二の発光手段からの光の両方を前記第一の構造体が通すことが可能な状態になる場合があり、
Ｐ’’　前記可動体が前記第一の位置に位置する場合に、該可動体の装飾部の少なくとも一部を前方から目視で確認することが不可能であり、
Ｓ’’　前記可動体が前記第一の位置とは異なる位置の場合に、該可動体が前記表示手段にオーバーラップして、該可動体の装飾部の外形を前方から目視で確認することが可能である、
ことを特徴とする遊技台。」
の点で一致し、以下の点で相違する。
［相違点１］（構成Ｋ）
　本願発明では「第一の状態において、前記第一の発光手段からの光と前記第二の発光手段からの光の両方を前記第一の構造体が通」すのに対し、引用発明では、「主可動体６７が第１位置に位置する」ときに、本願発明の「第一の発光手段」に相当する「ＬＥＤ１２２ａ」と本願発明の「第二の発光手段」に相当する「ＬＥＤ５１ａ」からの光の両方を、本願発明の「第一の構造体」に相当する「第２構成部材４３」が透過することが可能であるものの、これらの光の両方を通しているか不明である点。
［相違点２］（構成Ｏ）
　本願発明では「可動体が前記第一の位置に位置する場合」に「第一の状態になる場合があ」るのに対し、引用発明では「主可動体６７が第１位置に位置する」ときに、本願発明の「第一の発光手段」に相当する「ＬＥＤ１２２ａ」からの光と、本願発明の「第二の発光手段」に相当する「ＬＥＤ５１ａ」からの光の両方を、本願発明の「第一の構造体」に相当する「第２構成部材４３」が透過することが可能であるものの、本願発明の「第一の状態」、すなわち、「第一の発光手段からの光」と「第二の発光手段からの光」の両方を前記第一の構造体が通す状態になるか、不明である点。
［相違点３］（構成Ｐ’）
　本願発明では「可動体が前記第一の位置に位置する場合」に、「該可動体の装飾部の外形の全てを前方から目視で確認することが不可能」であるが、引用発明では「該可動体の装飾部の少なくとも一部を前方から目視で確認することが不可能」であるものの、「外形の全てを前方から目視で確認することが不可能」であるか不明な点。
［相違点４］（構成Ｎ、Ｓ’’）
　本願補正発明の「第二の位置」は、「第一の位置」とは「前後方向に重ならない位置」であるのに対し、引用発明の「主可動体６７が第２位置に位置する場合」の「主可動体６７と従動可動体６８、６９」の位置は、「主可動体６７が第１位置に位置する場合」の「主可動体６７と従動可動体６８、６９」の位置と、一部重なる部分がある点。
［相違点５］（構成Ｓ’’）
　本願補正発明では「可動体」が「第二の位置」の場合に、「前記装飾部の外形の全てを前方から目視で確認することが可能」であるのに対し、引用発明では、「主可動体６７が第２位置に位置する場合に」、「可動体群の略全体が前側から視認可能な状態となり、主可動体６７の意匠部７３、従動可動体６８の第１意匠本体１１７、従動可動体６９の第２意匠本体１２３が前側から視認可能な状態となる」点。
５　判断
相違点１、２、４、５について：
　本願発明の構成Ａ〜Ｏおよび構成Ｓ’’は、本願補正発明の構成Ａ〜Ｏおよび構成Ｓと同じ、または実質的に同じであるから、本願発明の構成Ｋに係る上記相違点１、構成Ｏに係る上記相違点２、構成Ｎ、Ｓ’’に係る相違点４および構成Ｓ’’に係る相違点５も、本願補正発明の構成Ｋに係る上記相違点１、構成Ｏに係る上記相違点２、構成Ｎ、Ｓに係る相違点３および構成Ｓに係る相違点４と同じであり、よって、上記相違点１、２、４および５に係る判断は、上記「第２の３（４）」の相違点１〜４に係る判断と同じである。
相違点３について：
　上記第３の３に記載のように、本願発明の構成Ｐ’の「可動体の装飾部の外形の全てを前方から目視で確認することが不可能」とは、可動体の装飾部が全て隠れるなどして、どの部分も確認することが不可能と解せる場合と、可動体の装飾部の一部が隠れるなどして、全てを確認することが不可能と解せる場合とがあるが、本願明細書の、「可動体」に相当する「落下展開役物７１２」について、「初期位置では、落下展開役物７１２のカバー手段７１８の正面に施された一部の装飾（本例では、キャラクタの顔）が、センター役物９００のセンター役物開口部９００ａを通して正面から視認可能」との記載から、外形の一部が視認可能であることがわかるから、上記構成Ｐの「可動体の装飾部の外形の全てを前方から目視で確認することが不可能」との記載から、可動体の装飾部の一部が隠れるなどして、全てを確認することが不可能であることと解せられ、したがって「該可動体の装飾部の少なくとも一部を前方から目視で確認することが不可能」であると解せられる。そして、引用発明の構成ｐの「従動可動体６８の第１意匠本体１１７の一部が第２構成部材４３の一部および非光透過性の第３構成部材４４の一部と重な」ることは、「従動可動体６８の第１意匠本体１１７」の少なくとも一部を前方から目視で確認することが不可能であることを意味することが明らかであるから、本願発明の構成Ｐの「可動体の装飾部の外形の全てを前方から目視で確認することが不可能」に相当する。よって、相違点３は、実質的な相違点ではない。
　
　ところで、可動体が本願発明の「第一の位置」に相当する待機位置において、可動体の装飾部が前方から全く確認出来ない状態とすることは、遊技機の分野において、本願の遡及日前に周知（例えば特開２００８−２４６０１４号には、「遊技演出部材を備えた可動装置を配設し、遊技演出部材を図柄表示装置で行われる遊技演出に合わせて動作させることにより、視覚的な演出効果を向上させ、遊技の興趣を一層増大するように」（【０００２】）すること、また、可動体である「電飾看板１００」が、「遊技の進行状況に応じて、」「遊技者に視認されない」「待機位置」である「位置へ上昇移動する」（【００２１】、【００５３】）ことが記載されている。また、特開２０１４−２３６８０４号には、「可動体」が「退避位置にある場合、」、「非可動体と可動体とは、正面視で前後に重なる位置に配置され」、「非可動体によって可動体が隠れる」（【００４０】）ことや、「可動体が近接位置に移動した場合には、隠れていた可動体が急に出没したかのような感覚を遊技者に与えることができる」（【００４１】）ことが記載されている。）（以下、「周知技術４」という。）である。
　そして、上記周知技術４における可動体と引用発明の可動体とは、その動作による演出により遊技の興趣を向上させるという点で共通する機能を有するものである。
　よって、仮に上記本願発明の構成Ｐ’の「可動体の装飾部の外形の全てを前方から目視で確認することが不可能」との記載が、可動体の装飾部が全て隠れるなどして、どの部分も確認することが不可能と解せるとしても、引用発明に上記周知技術４を適用し、「主可動体６７が第１位置に位置する場合」に、本願発明の「可動体」に相当する「主可動体６７と従動可動体６８、６９」のどの部分も確認することが不可能とし、上記相違点３に係る本願発明の構成Ｐ’とすることは当業者が容易に想到することができたものである。
　したがって、本願発明は、引用発明及び周知技術１〜４に基づいて当業者が容易に発明をすることができたものである。
６　むすび 
　以上のとおりであるから、本願発明は、特許法第２９条第２項の規定により特許を受けることができない。
　よって、結論のとおり審決する。